【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】
グリホサート除草剤の貯蔵効率を最大化させる方法であって、下記工程：
（１）同様に処方されたグリホサートのＩＰＡ塩の組成物よりも低い粘度を有し、かつ同様に処方されたグリホサートのＩＰＡ塩よりも大きい比重を有するグリホサートの一塩基性カリウム塩の水溶液を選択し；
（２）必要ならば、溶液のグリホサート酸当量濃度が４０重量％と上記塩の溶解度により決定される最大重量％との間となるように、水および／または他の成分で調節し；
（３）０．１ないし１０００００リットルまたはそれ以上の容量を有する容器に該調節された溶液を実質的に充填し；次いで、
（４）充填後、該容器を適切な貯蔵区域に置く
を含む方法。
【請求項２】
グリホサート除草剤の貯蔵効率を最大化させる方法であって、下記工程：
（１）同様に処方されたグリホサートのＩＰＡ塩の組成物よりも低い粘度を有し、かつ同様に処方されたグリホサートのＩＰＡ塩よりも大きい比重を有するグリホサートのモノエタノールアンモニウム塩の水溶液を選択し；
（２）必要ならば、溶液のグリホサート酸当量濃度が３０重量％と上記塩の溶解度により決定される最大重量％との間となるように、水および／または他の成分で調節し；
（３）０．１ないし１０００００リットルまたはそれ以上の容量を有する容器に該調節された溶液を実質的に充填し；次いで、
（４）充填後、該容器を適切な貯蔵区域に置く
を含む方法。
【請求項３】
グリホサート除草剤の貯蔵効率を最大化させる方法であって、下記工程：
（１）同様に処方されたグリホサートのＩＰＡ塩の組成物よりも低い粘度を有し、かつ同様に処方されたグリホサートのＩＰＡ塩よりも大きい比重を有するグリホサートの一塩基性カリウム塩の水溶液を選択し；
（２）必要ならば、溶液のグリホサート酸当量濃度が４０重量％と上記塩の溶解度により決定される最大重量％との間となるように、水および／または他の成分で調節し；
（３）０．１ないし２０００リットルまたはそれ以上の容量を有する複数の容器に該調節された溶液を実質的に充填し；
（４）荷積み区域において、道路用車両、鉄道用車両または水上輸送用車両内または上に荷積みし；次いで、
（５）荷積みの後、車両を、荷積み区域から荷下ろし区域へ移動させる
を含む方法。
【請求項４】
グリホサート除草剤の貯蔵効率を最大化させる方法であって、下記工程：
（１）同様に処方されたグリホサートのＩＰＡ塩の組成物よりも低い粘度を有し、かつ同様に処方されたグリホサートのＩＰＡ塩よりも大きい比重を有するグリホサートのモノエタノールアンモニウム塩の水溶液を選択し；
（２）必要ならば、溶液のグリホサート酸当量濃度が３０重量％と上記塩の溶解度により決定される最大重量％との間となるように、水および／または他の成分で調節し；
（３）０．１ないし２０００リットルまたはそれ以上の容量を有する複数の容器に該調節された溶液を実質的に充填し；
（４）荷積み区域において、道路用車両、鉄道用車両または水上輸送用車両内または上に荷積みし；次いで、
（５）荷積みの後、車両を、荷積み区域から荷下ろし区域へ移動させる
を含む方法。
【請求項５】
グリホサート除草剤の貯蔵効率を最大化させる方法であって、下記工程：
（１）同様に処方されたグリホサートのＩＰＡ塩の組成物よりも低い粘度を有し、かつ同様に処方されたグリホサートのＩＰＡ塩よりも大きい比重を有するグリホサートの一塩基性カリウム塩の水溶液を選択し；
（２）必要ならば、溶液のグリホサート酸当量濃度が４０重量％と上記塩の溶解度により決定される最大重量％との間となるように、水および／または他の成分で調節し；
（３）１５０００ないし１０００００リットルまたはそれ以上の容量を有するバルクコンテナに該調節された溶液を実質的に充填し；
（４）荷積み区域において、道路用車両、鉄道用車両または水上輸送用車両内または上に荷積みし；次いで、
（５）荷積みの後、車両を、荷積み区域から荷下ろし区域へ移動させる
を含む方法。
【請求項６】
グリホサート除草剤の貯蔵効率を最大化させる方法であって、下記工程：
（１）同様に処方されたグリホサートのＩＰＡ塩の組成物よりも低い粘度を有し、かつ同様に処方されたグリホサートのＩＰＡ塩よりも大きい比重を有するグリホサートのモノエタノールアンモニウム塩の水溶液を選択し；
（２）必要ならば、溶液のグリホサート酸当量濃度が３０重量％と上記塩の溶解度により決定される最大重量％との間となるように、水および／または他の成分で調節し；
（３）１５０００ないし１０００００リットルまたはそれ以上の容量を有するバルクコンテナに該調節された溶液を実質的に充填し；
（４）荷積み区域において、道路用車両、鉄道用車両または水上輸送用車両内または上に荷積みし；次いで、
（５）荷積みの後、車両を、荷積み区域から荷下ろし区域へ移動させる
を含む方法。
【請求項７】
該調節された溶液が、水溶液中または安定な水中分散物中の界面活性剤成分を用いてさらに調節され、該溶液は該溶液１リットルあたり合計２０ないし２００グラムの１またはそれ以上の界面活性剤を含むものであり、該界面活性剤成分は５０℃またはそれ未満の温度において組成物が相分離を示さないように選択されるものである、請求項１〜６のいずれか１項記載の方法。
【請求項８】
該界面活性剤成分が、０℃またはそれ未満の温度において、７日間まで貯蔵された場合に、該グリホサートまたはその塩の結晶化が示されないように選択される、請求項７記載の方法。
【請求項９】
界面活性剤の合計量が、組成物１リットルあたり６０ないし２００グラムである、請求項７または８記載の方法。
【請求項１０】
該界面活性剤成分が、下記のもの：
（１）エーテル、チオエーテル、スルホキシド、エステル、チオエステル、およびアミド結合から選択される０〜約７個の結合によって結合している、１個または複数の独立して飽和または不飽和、分岐鎖または非分岐鎖、脂肪族、脂環式または芳香族のＣ３-１８ヒドロカルビルまたはヒドロカルビリデン（ｈｙｒｏｃａｒｂｙｌｉｄｅｎｅ）基を有する疎水性成分であって、この疎水性成分が合計Ｊ個の炭素原子を有し、Ｊが約８〜約２４である疎水性成分；および
（２）下記のもの：
（ｉ）カチオンであるかまたはプロトン化してカチオンにすることができるアミノ基であって、それに直接的に結合した０〜３個のオキシエチレン基またはポリオキシエチレン鎖を有し、これらのオキシエチレン基およびポリオキシエチレン鎖が、Ｅ＋Ｊ＝２５であるように界面活性剤分子１個につき平均でＥ個以下のオキシエチレン単位を含んでなる、アミノ基；および
（ｉｉ）界面活性剤分子１個につき平均で約２個以下のグリコシド単位を含んでなるグリコシドまたはポリグリコシド基
を含む親水性成分
を含む分子構造を有する１またはそれ以上の個々の界面活性剤を主として含むものであり、該疎水性成分が、（ａ）該親水性成分のアミノ基に直接結合、（ｂ）オキシエチレン基の１つの酸素原子、またはポリオキシエチレン鎖の１つの末端オキシエチレン単位の酸素原子を組み込んでいるエーテル結合によって該親水性成分に結合、または（ｃ）グリコシド単位の１つに対するエーテル結合によって該親水性成分に結合するものである、請求項７〜９のいずれか１項記載の方法。
【請求項１１】
該界面活性剤成分が、ｐＨレベル４において下式：
2002530304.tif 000001
［式中、Ｒ１は水素またはＣ１−１８ヒドロカルビル、各Ｘはエーテル、チオエーテル、スルホキシド、エステル、チオエステルまたはアミド結合であり、各Ｒ２は独立してＣ３−６ヒドロカルビリデンであり、ｍは０ないし８の平均数であり、Ｒ１−（ＸＲ２）ｍ中の炭素原子の合計数は８ないし２４であり、ｎは０ないし５の平均数であり、Ｒ３およびＲ４は独立して水素またはＣ１−４アルキルであり、ｐは２ないし４であり、ｑは０または１であり、ｇｌｕはグルコシド単位であり、ｒは１ないし２の平均数であり、Ａはアニオン性成分であり、電気的中性が維持されるようにｓは１ないし３の整数であり、ｔは０または１である］で示される１またはそれ以上の化合物を主として含むものである、請求項７〜９のいずれか１項記載の方法。
【請求項１２】
Ｒ１がＣ８−１８脂肪族、飽和または不飽和、直鎖状または分岐状鎖であり、ｍ、ｎおよびｑが０であり、ｓが１であり、ｔが０である、請求項１１記載の方法。
【請求項１３】
該界面活性剤成分が、ｐＨレベル４において下式：
2002530304.tif 000002
［Ｒ１は水素またはＣ１-１８ヒドロカルビルであり、各Ｘは独立してエーテル、チオエーテル、スルホキシド、エステル、チオエステル、またはアミド結合であり、各Ｒ２は独立してＣ３-６ヒドロカルビリデンであり、ｍは０ないし８の平均数であり、Ｒ１−（ＸＲ２）ｍ中の炭素原子の合計数Ｊは８ないし２４であり、ｎは０ないし５の平均数であり、Ｒ５は水素、Ｃ１-４アルキル、アニオン性オキシド基、またはアニオン性基−（ＣＨ２）ｕＣ（Ｏ）Ｏであり、ｕは１ないし３であり、Ｒ６およびＲ７は独立して水素またはＣ１-４アルキルであり、ｘおよびｙはｘ＋ｙ＋ｎが数Ｅよりも大きくならないような平均数であり、Ｅ＝２５−Ｊであり、Ａはアニオン性成分であり、電気的中性が維持されるようにｓは１ないし３の整数であり、ｔは０または１である］で示される１またはそれ以上の化合物を主として含むものである、請求項７〜９のいずれか１項記載の方法。
【請求項１４】
Ｒ１がＣ８−１８脂肪族、飽和または不飽和、直鎖状または分岐状ヒドロカルビル鎖であり、ｍが０である請求項１３記載の方法。
【請求項１５】
Ｒ１がＣ８−１８脂肪族、飽和または不飽和、直鎖状または分岐状ヒドロカルビル鎖であり、ｍが１ないし５であり、各−ＸＲ２−基が基−ＯＣＨ（ＣＨ３）ＣＨ２−であり、ｎが０である請求項１３記載の方法。
【請求項１６】
Ｒ１がＣ８−１８脂肪族、飽和または不飽和、直鎖状または分岐状ヒドロカルビル鎖であり、ｍが１であり、Ｘがエーテル結合であり、Ｒ２がｎ−プロピレンであり、ｎが０である請求項１３記載の方法。
【請求項１７】
ｘおよびｙが０であり、Ｒ５Ｒ６およびＲ７が独立してＣ１−４アルキルであり、ｔが１である請求項１４〜１６のいずれか１項記載の方法。
【請求項１８】
ｘ＋ｙが２またはそれ以上であり、Ｒ６およびＲ７は水素であり、ｔが１である請求項１４〜１６のいずれか１項記載の方法。
【請求項１９】
Ｒ５がアニオン性オキシド基であり、ｔが０である請求項１４〜１６のいずれか１項記載の方法。
【請求項２０】
Ｒ５がアニオン性基−ＣＨ２Ｃ（Ｏ）Ｏであり、ｘおよびｙが０であり、ｔが０である請求項１４〜１６のいずれか１項記載の方法。
【請求項２１】
Ｒ１がＣ８−１８脂肪族、飽和または不飽和、直鎖状または分岐状ヒドロカルビル鎖であり、ｍが１であり、Ｘがアミド結合であり、Ｒ２がｎ−プロピレンであり、ｎが０であり、ｘおよびｙが０であり、Ｒ５が水素またはＣ１−４アルキルであり、Ｒ６およびＲ７が独立してＣ１−４アルキルであり、ｔが１である請求項１３記載の方法。
【請求項２２】
Ｒ１が水素であり、ｍが３ないし８であり、各−ＸＲ２−基が基−ＯＣＨ（ＣＨ３）ＣＨ２−であり、ｘおよびｙが０であり、Ｒ５、Ｒ６およびＲ７が独立してＣ１−４アルキルであり、ｔが１である請求項１３記載の方法。
【請求項２３】
Ａが塩化物、臭化物、沃化物、硫酸、エト硫酸、燐酸、酢酸、プロピオン酸、コハク酸、乳酸、クエン酸、または酒石酸またはＮ−ホスホノメチルグリシンアニオンであり、ｔが１である請求項１１または１３記載の方法。
【請求項２４】
グリホサート濃度が、全てのグリホサートがイソプロピルアンモニウム塩として存在する場合に許容される貯蔵安定性を与える最大濃度よりも高い、請求項７〜２３のいずれか１項記載の方法。
【請求項２５】
ｇ／ｌで表された界面活性剤濃度が、全てのグリホサートがイソプロピルアンモニウム塩として存在する場合に達成される最大濃度よりも高い、請求項７〜２４のいずれか１項記載の方法。
【請求項２６】
該グリコサート酸当量濃度が、約４０重量％と該酸の溶解度により決定される最大重量％との間である、請求項２、４または６のいずれか１項記載の方法。
【請求項２７】
除草に有効な量の請求項１〜２６のいずれか１項記載の調節された溶液を適当な体積の水で希釈して適用組成物を得て、次いで、適用組成物を植物の葉に適用することを特徴とする、除草方法。
【請求項２８】
容器が０．１リットルないし１０リットルの容量を有する請求項１〜４のいずれか１項記載の方法。
【請求項２９】
容器が０．１リットルの容量を有する請求項２８記載の方法。
【請求項３０】
容器が１０リットルの容量を有する請求項２８記載の方法。
【請求項３１】
容器が２．５ガロン（９．４６リットル）の容量を有する請求項２８記載の方法。
【請求項３２】
容器が５０リットルないし２００リットルの容量を有する請求項１〜４いずれか１項記載の方法。
【請求項３３】
容器が９３．５リットルの容量を有する請求項３２記載の方法。
【請求項３４】
容器が５０リットルよりも大きい容量を有する請求項１〜４いずれか１項記載の方法。
【請求項３５】
容器が２００リットルないし２０００リットルの容量を有する請求項３４記載の方法。
【請求項３６】
容器が１５０００リットルないし２００００リットルの容量を有する請求項１、２、５または６のいずれか１項記載の方法。
【請求項３７】
容器が２００００リットルないし２５０００リットルの容量を有する請求項１、２、５または６のいずれか１項記載の方法。
【請求項３８】
容器が７５０００リットルないし９００００リットルの容量を有する請求項１、２、５または６のいずれか１項記載の方法。